(57)【要約】【課題】仮型枠、捨て型枠等の型枠組みをなくし、掘削された山面に堰板代用金網状材を備え付けて、容易に、しかも、安定した状態の地中梁を構成する。【解決手段】ベタ基礎１１に一体に備えられる地中梁１２を、細長状凹部２２における底面２２ａと側面２２ｂとに添うように備えられた堰板代用金網状材３３と、この堰板代用金網状材３３の内側に配筋された鉄筋４０とを備え、この堰板代用金網状材３３、３３間に打ち込まれたコンクリート５０が当該堰板代用金網状材３３と該堰板代用金網状材３３の添わされている細長状凹部２２の底面２２ａ及び側面２２ｂとで堰き止められて養生、硬化された構成としてある。【選択図】図１
2007303073.tif 000002
【特許請求の範囲】
【請求項１】
ベタ基礎に一体に備えられる地中梁であって、
この地中梁が、細長状凹部における底面と側面とに添うように備えられた堰板代用金網状材と、この堰板代用金網状材の内側に配筋された鉄筋とを備え、この堰板代用金網状材間に打ち込まれたコンクリートが当該堰板代用金網状材と該堰板代用金網状材の添わされている細長状凹部の底面及び側面とで堰き止められて養生、硬化されていることを特徴とする地中梁。
【請求項２】
前記細長状凹部の底面及び側面に添うように備えられる堰板代用金網状材を樋状体としてあることを特徴とする請求項１に記載の地中梁。
【請求項３】
前記堰板代用金網状材がクリンプ金網又はエキスパンドメタルであることを特徴とする請求項１又は請求項２に記載の地中梁。
【発明の詳細な説明】
【技術分野】
【０００１】
この発明は、ベタ基礎下に当該ベタ基礎に一体に備えられる地中梁を、容易に、しかも、強固に構成し得る地中梁の提供に関する。
【背景技術】
【０００２】
構造物の構築に際して、当該構築される構造物に適応し得る剛性等の必要強度を備えたコンクリート基礎が必要とされている。
【０００３】
かかる住宅等の構造物の構築に際して設置されるコンクリート基礎は、当該構造物の構築される地盤特性、構築される構造物の構造特性、構築方法等を総合的に勘案して、所定の剛性等を備えるものとして構成される。
【０００４】
かかる点からコンクリート基礎がベタ基礎である場合、基礎スラブの厚さを厚くし、鉄筋量を増やし、鉄筋コンクリート曲げ強度を上げることで対応することが試みられている。
【０００５】
また、曲げに対抗する断面二次モーメントを大きくするためベタ基礎を備えて構成される基礎の立上りを大きくし、長辺方向と短辺方向とに立上り部を通すように設計することが試みられている。
【０００６】
しかしながら、ベタ基礎における基礎スラブを必要以上に厚くし、かつ、鉄筋量を多くして鉄筋コンクリート曲げ強度を上げる手法にあっては、基礎の構築コストが割高となる不具合がある。また、かかるベタ基礎にあっては、ベタ基礎自体の剛性等を高めたとしても、構造物の不同沈下を招くことがあり、かかる不同沈下に対応した薬液注入によるリフトアップに際してのコントロールに難があった。
【０００７】
また、かかるベタ基礎を備えて構成される基礎の立上り幅を大きくする手法にあっては、床下換気の都合上、また、人通りの都合等から、立上り部の通りを維持し難い場合が多く、理想的な田の字状に立上りを設けることが難しく、所期の強度を基礎部分にもたらし難く、また、立上り部が厚く高くなることから外観上圧迫感を生ずる不具合があった。
【０００８】
かかる点から、ベタ基礎に地中梁を備えた構成のコンクリート基礎が提案されている（例えば、特許文献１）。
【０００９】
【特許文献１】特開平９−１５８２０１号公報
【発明の開示】
【発明が解決しようとする課題】
【００１０】
この特許文献１では、根切り終了後、角波鋼板を波の山が横方向に連続するようにして、その上下部を軽溝形鋼で補強したパネルを地中梁および柱基礎部等の型枠材として組立て、この型枠材を土留め材としてその外側を埋戻し、かつ、型枠材内部に配筋して、コンクリートを打設し、基礎を形成する建築物の基礎工法を開示している。
【００１１】
かかる建築物の基礎工法にあっては、型枠の脱型工程が省略でき、また、根掘りの余掘部分を角波鋼板の組立て後に埋め戻し得る特長を備えており、余掘部分を利用してなされるコンクリートの仮型枠の組み立て、コンクリートの打設、養生と、脱型作業が不要とされる特長を有している。
【００１２】
しかしながら、かかる基礎工法にあっては、構造物の築造地盤部分に地中梁を構成するための根掘りに際して余掘を必要とし、埋め戻される余掘部分の掘削土を当該基礎工事現場の近くに保管するスペースを必要とし、しかも、この余掘部分の掘削土の運び出しと、運び入れとをなす必要があった。
【００１３】
また、かかる基礎工法にあっては、余掘の施された掘削部分に角波鋼板を用いて型組をし、型組後、余掘部分を埋め戻す必要があり、狭い作業空間において煩雑な作業を強いられる不具合があった。
【００１４】
さらに、かかる基礎工法にあっては、掘削部分の地山が乱されることが多く、また、埋め戻し部分における締め固めが掘削前の状態よりも緩くなることから、構築される基礎と地山との間に充分に締め固められていない埋め戻し土部分を生ずる不具合があった。
【００１５】
かかる点から、布掘り等で用意された細長状凹部の底面と側面とに堰板代用金網状材を型枠施工に代えて備え付け、所定の配筋処理等を施した後、この細長状凹部の金網状型枠材内にコンクリートを打設、養生して構成される地中梁をベタ基礎に一体に設けることによって、余掘を要せず、しかも、型枠の組み立て、及び余掘部分に対する埋め戻しをする必要もなく、布掘りされた地盤面によって確実に保持された状態のコンクリート基礎を提供しようとするものである。
【課題を解決するための手段】
【００１６】
この発明は、前記課題を解決するために、ベタ基礎に一体に備えられる地中梁であって、この地中梁が、細長状凹部における底面と側面とに添うように備えられた堰板代用金網状材と、この堰板代用金網状材の内側に配筋された鉄筋とを備え、この堰板代用金網状材間に打ち込まれたコンクリートが当該堰板代用金網状材と該堰板代用金網状材の添わされている細長状凹部の底面及び側面とで堰き止められて養生、硬化されていることを特徴とする地中梁としてある。
【００１７】
このように構成されるコンクリート基礎の地中梁にあっては、地中梁の構成に際して、コンクリートの打設型枠の施工のための余掘をすることなく、この余掘部分を利用したコンクリート打ち込み型枠の組み立てをなすことなく、しかも、この打ち込み型枠の背面側に余掘をした掘削土の埋め戻しをする必要もなく、布掘り等で構成される細長状凹部の底面と側面とに堰板代用金網状材を沿わせるように備えさせて、コンクリートの打ち込み空間を構成し、このコンクリートの打ち込み空間に配筋処理を施した状態で、直接当該堰板代用金網状材で囲まれた空間内にコンクリートを打設し、この打設コンクリートを当該堰板代用金網状材と細長状凹部の底面及び側面とで堰き止めた状態で、養生、硬化するようにしてある。
【００１８】
この結果、コンクリート基礎における地中梁は、その外周面に沿って堰板代用金網状材で補強された構成とされ、しかも、打設されたコンクリートが布掘り等で構成された細長状凹部の締め固まっている掘削壁面に直接接した状態で、養生、硬化された地中梁として構成され、構成されるコンクリート基礎回りにおける地盤に緩み部分を生ずることがなく、地盤に対して安定に維持されたコンクリート基礎とされる。
【００１９】
ついで、前記構成からなるコンクリート基礎にあって、前記細長状凹部の底面及び側面に沿うように備えられる堰板代用金網状材を樋状体に構成することによって、当該樋状体に構成された堰板代用金網状材を、布掘り等で構成された前記細長状凹部に納め入れることで、容易にコンクリートの打設空間を構成することができ、コンクリート基礎をより円滑に、かつ、型枠状に保形された堰板代用金網状材によって所期強度を備えた地中梁を構成することができる。
【００２０】
更に、前記構成からなる地中梁にあって、前記堰板代用金網状材をクリンプ金網又はエキスパンドメタルとすることによって、型枠状の樋状体を、容易に構成することができ、しかも、必要な強度を備えるクリンプ金網、又は、必要な強度を備えるエキスパンドメタルを選択的に用いることができ、地中梁を所要の強度を備えたものとして構成することができる。
【発明の効果】
【００２１】
この発明に係る地中梁は、堰板代用金網状材を布掘り等で構成した細長状凹部の底面及び側面に沿うように備え付けることでコンクリートの打設用空間を構成したことから、掘削に際して余掘をする必要がなく、また、この埋め戻しに用いられる余掘土の置きスペースが不要とされ、施工手間、施工部材が効果的に省かれ、コンクリート基礎の構築コストが割安とされる。また、余掘土の埋め戻しに伴う手間がなく、しかも、埋め戻しに伴う地盤の緩みだしもなく、充分に締め固まっている地盤によって維持された態様の地中梁を構成することができる。
【発明を実施するための最良の形態】
【００２２】
以下、図１〜図７にもとづいて、この発明を実施するための最良の形態に係る地中梁１２について説明する。
【００２３】
なお、ここで図１〜図４はコンクリート基礎１０の典型的な施工例を要部を断面して示しており、図１では、ベタ掘りをし、かつ、布掘りをした掘削地面に割ぐりを施し、捨てコンクリート２４を打って基礎の打ち込み面を構成した細長状凹部２２に、型枠状に形状の整えられ堰板代用金網状材３３を納め入れる状態を、図２では、細長状凹部２２における底面２２ａと側面２２ｂとに堰板代用金網状材３３を沿うように備えさせ、この細長状凹部２２の底面２２ａ及び側面２２ｂと、当該堰板代用金網状材３３とで、コンクリート５０の打ち込み用型枠を構成し、また、ベタ掘りをした周側部を堰板３１ａで塞ぐようにベタ基礎打設凹部２１の周側に仮型枠３１を設置し、かつ、この細長状凹部２２とベタ基礎打設凹部２１とに配筋処理を施した状態を、図３では、これにコンクリート５０を打設し、かつ、立上り部１３ａ用の仮型枠３２を設置した状態をそれぞれ断面して示している。図４では、かかる一連の工程において構成された地中梁１２をベタ基礎下に一体に備え、しかも、立上り部１３ａを一連に構成したコンクリート基礎１０を断面で示している。
図５は、かかる地中梁１２の構成に用いられる堰板代用金網状材３３によって形成された樋状体３３’を示しており、図６では、前記地中梁１２をベタ基礎１１下に備えて構成されたコンクリート基礎１０の一例を上方から見て、図７では、このコンクリート基礎１０部分を地中梁１２側から仮想的に見た状態を示している。
【００２４】
かかる発明を実施するための最良の形態かかる地中梁１２は、ベタ基礎１１に一体に備えられる地中梁１２を、細長状凹部２２における底面２２ａと側面２２ｂとに添うように備えられた堰板代用金網状材３３と、この堰板代用金網状材３３の内側に配筋された鉄筋４０とを備え、この堰板代用金網状材３３、３３間に打ち込まれたコンクリート５０が当該堰板代用金網状材３３と該堰板代用金網状材３３の添わされている細長状凹部２２の底面２２ａ及び側面２２ｂとで堰き止められて養生、硬化された構成としてある。
【００２５】
ここで構成されるベタ基礎１１は、構造物の構築に際して、その構築地盤２０面の全てに設けてある必要はなく、構造物の有する特性に対応してベタ基礎１１を必要とする部分にのみ当該ベタ基礎１１を設け、それ以外の部分には、適宜他の基礎手段を設置して構造物の構築をなすようにしてあってもよい。
【００２６】
また、このベタ基礎１１に一体に備えられる地中梁１２は、当該ベタ基礎１１において、耐震性等で補強を必要とする部分を補強し得る態様に設けてあり、ベタ基礎１１の構造特性や、ベタ基礎１１の設けられる地盤特性や、このベタ基礎１１上に構築される構造物の有する特性等を総合的に勘案して、最も都合の良い形態をなすように設けてあり、このベタ基礎１１下にあって、当該ベタ基礎１１を下側から承けて補強するように構成してある。
【００２７】
従って、主として、補強目的に設けられる地中梁１２の構造特性、及び、その構成位置等は、前記各条件を満足する構造特性を備え、かつ、前記各条件を満足し得る位置に、かつ、必要量を設けるようにしてある。
【００２８】
また、前記堰板代用金網状材３３は、掘削地盤２０面に添装されて、当該地盤２０面と共に打設コンクリート５０を堰き止める堰板機能を備え、かつ、掘削地盤２０の山の崩れを効果的に抑制し得るものであれば、いかなる金網状のものであってもよい。かかる堰板代用金網状材３３は、前記布掘り等で構成される細長状凹部２２の底面２２ａと側面２２ｂとに添うように備え得るものであれば、いかなる形態からなっていてもよく、例えば、型付けのされていない平らなシート状の金網を、前記細長状凹部２２における底面２２ａと側面２２ｂとに沿うように適宜折り曲げて当該底面２２ａと側面２２ｂとに、順次、長手方向に向けて添わせるようにし得るものであってよい。また、かかる堰板代用金網状材３３を細長状凹部２２の底面２２ａと側面２２ｂとに添わせてあれば、個々の堰板代用金網状材３３相互は連結してあっても、また相互に連結させることなく互いの端部を重ね合わせるように順次連続させるように当該細長状凹部２２の底面２２ａと側面２２ｂとを覆うように添わせてあってもよい。更に、かかる堰板代用金網状材３３を折り曲げ等の適宜の手段よって保形し、所定の立体形状になし、これを適宜接続して所定の型枠形状に構成して用いるようにしてあってもよい。更にまた、前記堰板代用金網状材３３に対して更に適宜の保形手段を組み合わせて前記細長状凹部２２内に納まる形状で、かつ、上面の開口されている型枠の堰板を構成するようにしてあってもよい。
【００２９】
かかる堰板代用金網状材３３は、例えば、可撓性を備えると共に、折付け等によって保形のできる金網材を用いることによって、かかる細長状凹部２２に対して、より効率良く、コンクリート５０の打ち込み空間を構成することができる。
【００３０】
また、前記堰板代用金網状材３３の内側に配筋された鉄筋４０は、当該堰板代用金網状材３３の内側に配筋してあればよく、その配筋の手法等は、いかなる形態でなされていてもよく、例えば、当該堰板代用金網状材３３の内側と、これに連続されるベタ基礎１１を構成するコンクリート５０の打設用凹部２１に対して一連に、かつ、同時に配筋することで、当該堰板代用金網状材３３内に配筋するようにしてあっても、また、この堰板代用金網状材３３内と、これに続くベタ基礎１１のコンクリート５０の打設用凹部２１と、このベタ基礎１１上に立設される立上り部１３ａ等の基礎を構成する仮型枠３２内とに、一連に、かつ、同時に配筋をなすことによって、当該堰板代用金網状材３３内に鉄筋組みをなすようにしてあってもよい。
【００３１】
また、堰板代用金網状材３３、３３間に対するコンクリート５０の打ち込みは、当該堰板代用金網状材３３、３３間に打設されておればよく、この堰板代用金網状材３３の備えられた細長状凹部２２に対するコンクリート５０の打ち込みであっても、また、コンクリート５０を当該細長状凹部２２に連続されているベタ基礎１１のコンクリート打設凹部２１に対するコンクリート５０の打設と共になされる打ち込みであっても、また、このベタ基礎１１上に立上り部１３ａ等を設ける際にあっては、当該立上り部１３ａ等のコンクリート５０の打設と共にベタ基礎１１のコンクリート打設用凹部２１及び地中梁１２のコンクリート打設用の細長状凹部２２に対してなされるコンクリート５０の打ち込みによる打設であってもよい。
【００３２】
このように堰板代用金網状材３３、３３間に打設されたコンクリート５０は、このコンクリート５０の打設圧によって堰板代用金網状材３３を、更に、細長状凹部２２の底面２２ａ及び側面２２ｂに押しつけると共に、この堰板代用金網状材３３の目部分から細長状凹部２２における底面２２ａ及び側面２２ｂ側ににじみ出しながら、当該堰板代用金網状材３３をコンクリート５０内に取り込むようにしながら、当該細長状凹部２２の底面２２ａ及び側面２２ｂと当該堰板代用金網状材３３とで堰き止められた状態で、養生、硬化されて地中梁１２を構成するようにしてある。
【００３３】
このように構成されるコンクリート基礎１０にあっては、地中梁１２の構成に際して、コンクリート打ち込み型枠施工のための余掘をすることなく、この余掘部分を利用したコンクリートの打ち込み型枠の組み立てをすることなく、さらに、この打ち込み型枠の背面側に余掘をした掘削土の埋め戻しをなす必要もなく、布掘り等で構成される細長状凹部２２の底面２２ａと側面２２ｂとに堰板代用金網状材３３を沿わせるように備えさせて、コンクリート５０の打ち込み空間を構成し、この打ち込み空間内に配筋処理を施した状態で、直接当該堰板代用金網状材３３、３３間内にコンクリート５０を打設し、この打設コンクリート５０を当該堰板代用金網状材３３と細長状凹部２２の底面２２ａ及び側面２２ｂとで堰き止めた状態で、養生、硬化させてある。
【００３４】
この結果、コンクリート基礎１０を構成する地中梁１２は、その外周面に沿って堰板代用金網状材３３で補強されており、しかも、打設されたコンクリート５０が布掘り等で構成される細長状凹部２２の締め固まっている掘削壁面に直接接した状態で、養生、硬化されたものであることから、構成される地中梁１２回りにおける地盤２０に緩み部分を生ずることがなく、地盤２０に対して安定に維持された地中梁１２を構成することができる。
【００３５】
ついで、前記構成からなる地中梁１２にあって、前記細長状凹部２２の底面２２ａ及び側面２２ｂに沿うように備えられる堰板代用金網状材３３を樋状体３３’に構成することによって、当該樋状体３３’に構成された堰板代用金網状材３３を、前記細長状凹部２２に納め入れることで、容易にコンクリート５０の打設空間を構成することができ、地中梁１２を備えるコンクリート基礎１０をより円滑に、かつ、型枠状に保形された堰板代用金網状材３３によって所期強度を備えた地中梁１２を構成することができる。
【００３６】
更に、前記構成からなる地中梁１２にあって、前記堰板代用金網状材３３をクリンプ金網又はエキスパンドメタルで構成することによって、これを折付けることによって型枠状樋状体３３”を、容易に構成することができ、しかも、必要な強度を備えるクリンプ金網、又は、必要な強度を備えるエキスパンドメタルを選択的に用いることができ、地中梁１２を所要の強度を備えたものとして構成することができる。
【００３７】
ついで、図１〜図７に示される典型的な地中梁１２について具体的に説明する。
【００３８】
まず、予定される地中梁１２の構成に用いられる堰板代用金網状材３３を用意する。かかる堰板代用金網状材３３は、例えば、エキスパンドメタル、クリンプ金網を用いて、これらを折り曲げ、接続して、例えば、図５に示されるような型枠状樋状体３３”を前もって構成し、これを地中梁１２の打設用細長状凹部２２に納め入れてコンクリート５０の打設に用いる。あるいは、型付けのされていない一枚の、例えば、エキスパンドメタル、クリンプ金網を、地中梁１２の打設用細長状凹部２２内の底面２２ａと、側面２２ｂとに添わせるように順次押しつけて、当該細長状凹部２２内の長手方向に順次に接続して配設することによって樋状体３３’に構成し、これにコンクリート５０を打設して用いるようにしてあってもよい。
【００３９】
建築対象地盤２０には、コンクリート打設用凹部２１、２２を構成するためのベタ掘り、及び、布掘りを施す。この地業面におけるベタ掘りによって、ベタ基礎１１のコンクリート打設用凹部を掘削用意する。また、このベタ掘りにあっては、ベタ基礎１１のコンクリート打ち込みのための仮型枠施工に必要な余掘部分２１ａを掘削用意する。
【００４０】
また、地中梁１２のコンクリート打設用の細長状凹部２２を構成するための布掘りを施す。この布掘りはベタ掘り部分と連続するように掘削される。かかる細長状凹部２２を構成するための布掘りは、ベタ基礎１１と一体になって構成される当該地中梁１２がコンクリート基礎１０に求められる種々の条件を満たす位置に、これらの条件を満たす態様に設け得るように施される。
【００４１】
かかるベタ掘りや布掘りに併せて、当該ベタ掘り凹部や、布掘り凹部の底面２２ａに適宜割栗２３等の基礎地業を施し、捨てコンクリート２４を打ってベタ基礎１１のコンクリート打設用凹部２１と、地中梁１２のコンクリート打設用細長凹部２２とを構成する。
【００４２】
このようにして用意された細長状凹部２２に対して、この細長状凹部２２における底面２２ａに添え、かつ、側面２２ｂに添うように前記堰板代用金網状材３３、例えば、エキスパンドメタル、クリンプ金網を備えさせる。
【００４３】
かかる堰板代用金網状材３３は、これを、前もって折付けられて樋状体３３’としてある場合には、この樋状体３３’における底面部３３ａを前記細長状凹部２２の底面２２ａに、また、側面部３３ｂを該細長状凹部２２の側面２２ｂにそれぞれ添うように、この樋状体３３’を該細長状凹部２２内の長手方向に順次に連接するように納め入れる。また、既に、図５に示されるように堰板代用金網状材３３によって型枠状樋状体３３”が構成されている場合には、この型枠状樋状体３３”を前記細長状凹部２２内に納め入れてコンクリート５０の打設空間を構成する。
【００４４】
また、ベタ基礎１１のコンクリート打設用凹部２１に仮型枠３１を、適宜の支持手段３１ｂによって堰板３１ａを起立状態に維持し得るように設ける。
【００４５】
また、このベタ基礎１１のコンクリート打設用凹部２１と前記細長状凹部２２とに、順次に、又は、同時に鉄筋４０の配筋をなす。かかる鉄筋４０は、このベタ基礎１１部分と地中梁１２部分とに一連に連続する態様に設けてあっても、これらを別々に設けるようにしてあってもよい。更に、このベタ基礎１１上に設けられる立上り部１３ａ等の構造物のための立上り基礎部１３を設ける場合に、この立上り基礎部１３の鉄筋４０をも、前記鉄筋４０の配筋に際して、前記地中梁１２及びベタ基礎１１における鉄筋４０に一連に連続する態様に同時に配筋してあっても、また、これらの鉄筋４０とは別の鉄筋を用意して個別に配筋するようにしてあってもよく、構成されるコンクリート基礎１０における各種目的に対応した配筋施工の手順で、各種基礎用鉄筋の配筋がなされる。
【００４６】
かかる鉄筋４０は横筋４２、縦筋４１、帯筋４３等の各種形態の鉄筋４０を、これらのコンクリート基礎１０に要請される各種形態の剛性等に都合良く対応し得る態様に配筋される。
【００４７】
かかる配筋処理の施された細長状凹部２２とベタ基礎１１のコンクリート打ち込み用凹部２１に対して、その両方に同時に、あるいは連続して、又は、その片方毎にコンクリート５０を打設する。
【００４８】
打設されたコンクリート５０は、前記細長状凹部２２内において堰板代用金網状材３３を当該コンクリート打設圧で細長状凹部２２の底面２２ａ及び側面２２ｂに押しつけるように機能し、かつ、当該堰板代用金網状材３３から細長状凹部２２における底面２２ａ及び側面２２ｂの地盤側に漏れだして当該堰板代用金網状材３３をコンクリート５０内に取り込み状態にする。すなわち、この細長状凹部２２の底面２２ａ及び側面２２ｂにおいて支承された堰板代用金網状材３３の構成する打ち込み空間に対して打設されたコンクリート５０は、当該堰板代用金網状材３３を細長状凹部２２の底面２２ａ及び側面２２ｂに押しつけ、かつ、この堰板代用金網状材３３を取り込んだ状態で、堰き止められて、養生、硬化され、所期の地中梁１２を、単独で、又は、ベタ基礎１１と共に構成する。
【００４９】
さらに、必要に応じて、図３及び図４に示されるように、地中梁１２を備えるベタ基礎１１を構築する際に、立上り部１３ａ等の立上り基礎部１３の縦筋施工をなしておき、この縦筋４１に横筋４２等の配筋処理を施して型枠保持手段３２ａで保持された鋼製型枠からなる仮型枠３２をベタ基礎１１上に設置してコンクリート５０の打ち込みによって立上り基礎部１３を設ける。又は、このベタ基礎１１の施工後に、仮型枠施工、配筋施工、コンクリートの打設をなして当該立上り基礎部１３を設けるようにしてもよい。更に、前記地中梁１２、ベタ基礎１１と同時に配筋し、かつ、仮型枠施工をして、コンクリートを打設することによって、これらの地中梁１２、ベタ基礎１１と同時に立上り基礎部１３を設けるようしてあってもよい。
【００５０】
このようにして構成される地中梁１２を備えたコンクリート基礎１０は、地中梁１２部分の構成が容易とされ、しかも、布掘りされた地盤２０の山を緩めることなく、細長状凹部２２にコンクリート５０を打設できることから、構成される地中梁１２が締め固まったままの地盤２０によって支承された状態に設けることができる。また、構成される地中梁１２は、その周面部分にコンクリート５０で覆われた状態でエキスパンドメタル、クリンプ金網等の堰板代用金網状材３３を備えており、地中梁１２の強度が更に補強された構成とすることができる。
【図面の簡単な説明】
【００５１】
【図１】典型的な地中梁の施工例の一過程を示す要部断面図
【図２】同次の一過程を示す要部断面図
【図３】同更に次の一過程を示す要部断面図
【図４】同施工終了状態の一部を示す断面図
【図５】同型枠状樋状体の一例を示す斜視図
【図６】同コンクリート基礎の一例の施工終了状態の平面図
【図７】同施工終了状態のコンクリート基礎部分の模式図
【符号の説明】
【００５２】
１１  ベタ基礎
１２  地中梁
２２  細長状凹部
２２ａ  底面
２２ｂ  側面
３３  堰板代用金網状材
３３’  樋状体
４０  鉄筋
５０  コンクリート
【図１】
2007303073.tif 000003
【図２】
2007303073.tif 000004
【図３】
2007303073.tif 000005
【図４】
2007303073.tif 000006
【図５】
2007303073.tif 000007
【図６】
2007303073.tif 000008
【図７】
2007303073.tif 000009